(57)【特許請求の範囲】
【請求項１】
コンピュータ用入力装置を制御する信号を処理する半導体集積回路装置と、前記半導体集積回路装置に外付けされるとともにコンピュータ用入力装置の動きを検出するためのセンサ回路と、前記センサ回路を一時休止状態にする時間を形成するためのタイマ回路とを有するコンピュータ用入力装置において、
前記半導体集積回路装置に設けられた端子であって前記センサ回路に電力供給するための端子を前記センサ回路と前記タイマ回路に共通に接続し、
前記タイマ回路が動作するときには前記センサ回路の電力供給を遮断する手段を前記半導体集積回路装置内に設けたことを特徴とするコンピュータ用入力装置。
【請求項２】
前記タイマ回路は、電源とグランド間で直列に接続した抵抗及びコンデンサと、
この抵抗とコンデンサの接続部の出力電圧が所定値に達した回数を計数するカウンタ回路と、
を有することを特徴とする請求項１に記載のデータ入力装置。
【請求項３】
前記コンデンサが前記半導体集積回路装置内に設けられていることを特徴とする請求項２に記載のコンピュータ用入力装置。
【請求項４】
前記タイマ回路は、電源とグランド間で直列に接続した抵抗及びコンデンサと、
前記抵抗と前記コンデンサの接続部に入力側が接続されたコンパレータと、
該コンパレータの出力側と入力端子が接続されたカウンタ回路と、
該カウンタ回路の出力端子と入力端子が接続されてコンピュータ用入力装置を制御する制御部と、
一方の入力端子が前記制御部の第１出力端子と接続されるとともに他方の入力端子が前記コンパレータの出力側と接続されたＡＮＤ回路と、
該ＡＮＤ回路から出力される信号によって制御されるとともに前記抵抗と前記コンデンサの接続部とグランド間に接続されるスイッチ回路と、
を有することを特徴とする請求項２に記載のコンピュータ用入力装置。
【請求項５】
前記コンデンサが前記半導体集積回路装置内に設けられていることを特徴とする請求項４に記載のコンピュータ用入力装置。
【請求項６】
前記タイマ回路は、電源からの電流を積分する積分回路と、
該積分回路の出力が所定値になると出力を変化するコンパレータと、
前記コンパレータの出力変化の回数を計数するカウンタ回路と、
前記コンパレータの出力変化毎に前記積分回路をクリアするクリア手段と、
を有することを特徴とする請求項１に記載のコンピュータ用入力装置。
【請求項７】
前記コンパレータの閾値電圧が、前記センサ回路を動作させるのに必要な電圧よりも低い電圧であるとともに、
前記コンパレータに入力される電圧が前記閾値電圧以上の電圧になったとき前記コンパレータの出力が変化することを特徴とする請求項４〜６のいずれかに記載のコンピュータ用入力装置。
【発明の詳細な説明】
【０００１】
【発明の属する技術分野】
本発明は、パーソナルコンピュータやワークステーションに入力データを与えるコンピュータ用入力装置に関するもので、特にマウス、トラックボール、ジョイスティックなどのように、ディスプレイなどの画面上に表示されるカーソルを駆動したり、或いは、図形表示などの座標データを入力するためのコンピュータ用入力装置に関する。
【０００２】
【従来の技術】
近年、パーソナルコンピュータやワークステーション（以下、両方を併せてＰＣと呼ぶ。）の周辺機器（Peripheral  Equipment）として使用されるコンピュータ用入力装置は、ＵＳＢ（Universal Serial Bus）方式などにおいて、その消費電力を押さえるために、一定時間これらのコンピュータ用入力装置からＰＣに入力がないとき、該コンピュータ用入力装置に供給される電力が抑制されるサスペンドモードになるように該データ入力装置自身又はＰＣから指示されるといった工夫がなされている。
【０００３】
このようなサスペンドモードの機能を持ったコンピュータ用入力装置を代表して、マウスパッドに用意された透明、又は不透明のラインパターンを感知することにより検出したその移動方向及び距離等の位置情報をＰＣへの入力信号とする光学式のマウスについて、図面を参照にして説明する。図５は、該マウスの内部構成を示したブロック図である。
【０００４】
従来使用されているマウス５１は、マウス５１の動作の制御を行うＩＣ装置５２と、ＩＣ装置５２のセンサ用端子５４，５５のそれぞれにエミッタが接続されたフォトトランジスタＴｒ１１，Ｔｒ１２と、ＩＣ装置５２のセンサ用端子５６とグランド間に直列に接続された発光ダイオードＤ１１，Ｄ１２と、ＩＣ装置５２のタイマ回路専用端子５７に接続された抵抗Ｒ１１及びコンデンサＣ１１と、他端が接地されるとともにフォトトランジスタＴｒ１１，Ｔｒ１２のそれぞれのエミッタに接続された抵抗Ｒ１２，Ｒ１３とを有する。
【０００５】
又、フォトトランジスタＴｒ１１，Ｔｒ１２は、共にコレクタがセンサ用端子５６に接続されている。発光ダイオードＤ１１，Ｄ１２は直列に接続されるとともに、発光ダイオードＤ１１のアノードがセンサ用端子５６に接続され、発光ダイオードＤ１２のカソードが接地されている。抵抗Ｒ１１とコンデンサＣ１１は直列に接続され、その接続部がタイマ回路専用端子５７に接続されるとともに、抵抗Ｒ１１にＶｄｄが印加され、コンデンサＣ１１が接地される。
【０００６】
更に、前記ＩＣ装置５２において、ドレインにＶｄｄが印加されているＮチャネルＭＯＳトランジスタＴｒ１３のソースがセンサ用端子５６と接続され、コンパレータ５８の入力側及びソースが接地されたＮチャネルＭＯＳトランジスタＴｒ１４のドレインがタイマ回路専用端子５７と接続されている。又、このＩＣ装置５２は全体の動作を制御する制御部５９が設けられており、この制御部５９に、センサ用端子５４，５５、トランジスタＴｒ１３，Ｔｒ１４のゲート、コンパレータ５８の出力側、及びマウス５１のホストであるＰＣ（不図示）に位置情報を出力するとともにマウス５１がサスペンドモードになるように又はサスペンドモードから復帰するようにするための前記ＰＣからの命令信号であるサスペンドモード信号が入力されるデータ入出力端子５３が接続されれている。
【０００７】
このようなマウス５１が使用者によって使用され通常動作を行っているとき、制御部５９からトランジスタＴｒ１３，Ｔｒ１４のゲートにＨｉｇｈの信号が送出される。このとき、発光ダイオードＤ１１，Ｄ１２が発光し、この発光ダイオードＤ１１，Ｄ１２より発せられる光が前記マウスパッドのラインによって反射されるときの反射光の強度に応じて、フォトトランジスタＴｒ１１，Ｔｒ１２がそれぞれ導通するようになる。このようにして、フォトトランジスタＴｒ１１，Ｔｒ１２の導通状態に応じて変化するセンサ用端子５４，５５の電圧値が制御部５９に入力され、この電圧値をもとに制御部５９で求めた位置情報をデータ入出力端子５３よりＰＣに出力する。
【０００８】
このマウス５１が使用者によって所定の期間内全く使用されず、フォトトランジスタＴｒ１１，Ｔｒ１２からＩＣ装置５２に送出される信号に変化がないとき、制御部５９からデータ入出力端子５３を介してＰＣに送出される位置情報に変化がないので、ＰＣ側でマウス５１が使用者に使用されていないと判断し、サスペンドモードになるようにデータ入出力端子５３を介して制御部５９にサスペンドモード信号が送出される。このようにマウス５１がサスペンドモードに入ると、制御部５９からトランジスタＴｒ１３，Ｔｒ１４のゲートにＬｏｗの信号が送出される。
【０００９】
このようにトランジスタＴｒ１３，Ｔｒ１４のゲートにＬｏｗの信号が入力されると、トランジスタＴｒ１３が非導通になるとともにダイオードＤ１１，Ｄ１２による発光が停止する。一方、トランジスタＴｒ１４が非導通になることによりコンデンサＣ１１が徐々に充電され、タイマ回路専用端子５７の電位が上昇する。このタイマ回路専用端子５７の電位が閾値ＶTを超えたとき、コンパレータ５８からタイマ信号が制御部５９に出力される。
【００１０】
制御部５９にコンパレータ５８からタイマ信号が入力されると、ある一定期間トランジスタＴｒ１３，Ｔｒ１４のゲートにＨｉｇｈの信号が入力され、一時的に通常状態となって発光ダイオードＤ１１，Ｄ１２が発光し、マウス５１が使用者によってその位置が変化させられたか否かを判別する。このように、一時的に通常状態になったとき、トランジスタＴｒ１４のゲートにＨｉｇｈの信号が出力されるためトランジスタＴｒ１４が導通して、コンデンサＣ１１内にたまっている電荷がトランジスタＴｒ１４を通って放電され、タイマ回路専用端子５７の電位が下がる。
【００１１】
このとき、制御部５９からデータ入出力端子５３を介してＰＣへ送られる位置情報に変化があれば、ＰＣからサスペンドモードから復帰するためのサスペンドモード解除信号がマウス５１のデータ入出力端子５３に入力されて、マウス５１がサスペンドモードから復帰する。また、逆に制御部５９からデータ入出力端子５３を介してＰＣへ送られる位置情報に一定時間に変化がなければ、再び制御部５９からトランジスタＴｒ１３，Ｔｒ１４のゲートにＬｏｗの信号を出力し、上述した動作を繰り返す。
【００１２】
【発明が解決しようとする課題】
上記のような内部構造を持つマウス５１の場合、このマウス５１の内部において、タイマ回路を構成するための抵抗Ｒ１１及びコンデンサＣ１１は、それらの大きさや容量が大きなものとなるために、これらの抵抗Ｒ１１及びコンデンサＣ１１のＩＣ装置５２内への設置は不可能である。そのため、抵抗Ｒ１１及びコンデンサＣ１１はＩＣ装置５２の外部に設置する必要がある。又、このようなマウス内に備えたＩＣ装置５２の外部との接続端子であるピンの本数は１６〜２０本で、その数に限りがある。しかも、上記のようなマウスの場合、タイマ回路用の端子として該ＩＣ装置のピンが一本必要となる。このようにピンの本数が多くなるほどＩＣ装置の単価は高くなる。
【００１３】
本発明は、タイマ回路に接続する端子を他の端子と共通に使用することによって、その端子数を減少させた半導体集積回路装置を備えたコンピュータ用入力装置を提供することを目的とする。
【００１４】
本発明は、タイマ回路に使用するコンデンサとカウンタ回路を装置内部に備えたＩＣ装置内に設置することによって、そのコンデンサの容量を小さくするとともに、装置にかかるコストを低くすることができるコンピュータ用入力装置を提供することを目的とする。
【００１５】
【課題を解決するための手段】
請求項１に記載のコンピュータ用入力装置は、コンピュータ用入力装置を制御する信号を処理する半導体集積回路装置と、前記半導体集積回路装置に外付けされるとともにコンピュータ用入力装置の動きを検出するためのセンサ回路と、前記センサ回路を一時休止状態にする時間を形成するためのタイマ回路とを有するコンピュータ用入力装置において、前記半導体集積回路装置に設けられた端子であって前記センサ回路に電力供給するための端子を前記センサ回路と前記タイマ回路に共通に接続し、前記タイマ回路が動作するときには前記センサ回路の電力供給を遮断する手段を前記半導体集積回路装置内に設けたことを特徴とする。
【００１６】
請求項２に記載のコンピュータ用入力装置は、請求項１に記載のコンピュータ用入力装置において、前記タイマ回路が、電源とグランド間で直列に接続した抵抗及びコンデンサと、この抵抗とコンデンサの接続部の出力電圧が所定値に達した回数を計数するカウンタ回路と、を有することを特徴とする。
【００１７】
請求項３に記載のコンピュータ用入力装置は、請求項２に記載のコンピュータ用入力装置において、前記タイマ回路が、電源とグランド間で直列に接続した抵抗及びコンデンサと、前記抵抗と前記コンデンサの接続部に入力側が接続されたコンパレータと、該コンパレータの出力側と入力端子が接続されたカウンタ回路と、該カウンタ回路の出力端子と入力端子が接続されてコンピュータ用入力装置を制御する制御部と、一方の入力端子が前記制御部の第１出力端子と接続されるとともに他方の入力端子が前記コンパレータの出力側と接続されたＡＮＤ回路と、該ＡＮＤ回路から出力される信号によって制御されるとともに前記抵抗と前記コンデンサの接続部とグランド間に接続されるスイッチ回路と、を有することを特徴とする。
【００１８】
請求項４に記載のコンピュータ用入力装置は、請求項２又は請求子３に記載のコンピュータ用入力装置において、前記コンデンサが前記半導体集積回路装置内に設けられていることを特徴とする。
【００１９】
請求項５に記載のコンピュータ用入力装置は、請求項１に記載のコンピュータ用入力装置において、前記タイマ回路が、電源からの電流を積分する積分回路と、該積分回路の出力が所定値になると出力を変化するコンパレータと、前記コンパレータの出力変化の回数を計数するカウンタ回路と、前記コンパレータの出力変化毎に前記積分回路をクリアするクリア手段と、を有することを特徴とする。
【００２０】
請求項６に記載のコンピュータ用入力装置は、請求項３〜５のいずれかに記載のコンピュータ用入力装置において、前記コンパレータの閾値電圧が、前記センサ回路を動作させるのに必要な電圧よりも低い電圧であるとともに、前記コンパレータに入力される電圧が前記閾値電圧以上の電圧になったとき前記コンパレータの出力が変化することを特徴とする。
【００２１】
【発明の実施の形態】
本発明の第１の実施の形態について、図面を参照にして説明する。図１は、本実施形態で使用するマウスの内部構造を示すブロック図である。又、本実施形態で使用するマウスは、マウスパッドに用意された透明、又は不透明のラインパターンを感知することにより、その移動方向及び距離を検出する光学式のマウスである。
【００２２】
このようなマウス１は、マウス１の動作の制御を行うＩＣ装置２と、ＩＣ装置２のセンサ用端子４，５のそれぞれにエミッタが接続されたフォトトランジスタＴｒ１，Ｔｒ２と、他端が接地されるとともにフォトトランジスタＴｒ１，Ｔｒ２のそれぞれのエミッタに接続された抵抗Ｒ２，Ｒ３と、ＩＣ装置２のセンサ・タイマ回路用端子６に接続された発光ダイオードＤ１，Ｄ２、抵抗Ｒ１及びコンデンサＣ１とを有する。
【００２３】
又、フォトトランジスタＴｒ１，Ｔｒ２は、それぞれコレクタがセンサ・タイマ回路用端子６に接続されている。発光ダイオードＤ１，Ｄ２は直列に接続されるとともに、発光ダイオードＤ１のアノードがセンサ・タイマ回路用端子６に接続され、発光ダイオードＤ２のカソードが接地されている。抵抗Ｒ１とコンデンサＣ１は直列に接続され、その接続部がセンサ・タイマ回路専用端子６に接続されるとともに、抵抗Ｒ１にＶｄｄが印加され、コンデンサＣ１が接地される。
【００２４】
更に、前記ＩＣ装置２は、マウス１のホストであるＰＣ（不図示）に位置情報を出力するとともにマウス１がサスペンドモードになるように又はサスペンドモードから復帰するようにするための前記ＰＣからの命令信号であるサスペンドモード信号が入力されるデータ入出力端子３と、ドレインにＶｄｄが印加されているＮチャネルＭＯＳトランジスタＴｒ３と、ソースが接地されたＮチャネルＭＯＳトランジスタＴｒ４と、トランジスタＴｒ３のソースとトランジスＴｒ４のドレインとの接続部に入力側が接続されたコンパレータ７と、コンパレータ７の出力側に接続されるとともに複数段のカウンタを備えたカウンタ回路８と、全体の動作を制御する制御部９と、トランジスタＴｒ４のゲートに出力側が接続されたＡＮＤ回路１０とが設けられている。
【００２５】
又、前記制御部９は、センサ用端子４，５、トランジスタＴｒ３のゲート、カウンタ回路８の出力端子１６とリセット端子１５、及びＡＮＤ回路１０の２つの入力端子の内の一方の入力端子に接続され、更に、このＡＮＤ回路１０のもう一方の入力端子はコンパレータ７の出力側に接続されている。
【００２６】
上記のようなマウス１が使用者によって使用され通常動作を行っているとき、制御部９からトランジスタＴｒ３のゲートにＨｉｇｈの信号が送出されるとともに、ＡＮＤ回路１０にＬｏｗの信号が送出される。このように制御部９から信号が送出されると、ＡＮＤ回路１０の入力端子の１つに常にＬｏｗの信号が入力されるため、該ＡＮＤ回路１０はトランジスタＴｒ４のゲートにＬｏｗの信号を出力する。よって、トランジスタＴｒ３が導通状態にあるとともに、トランジスタＴｒ４は遮断状態にある。
【００２７】
このとき、トランジスタＴｒ３を通して発光ダイオードＤ１，Ｄ２に電流が流れるので、発光ダイオードＤ１，Ｄ２が発光する。この発光ダイオードＤ１，Ｄ２より発せられる光が前述のマウスパッドのラインによって反射されたときの反射光に応じて、フォトトランジスタＴｒ１，Ｔｒ２がそれぞれ導通する。このようにして、フォトトランジスタＴｒ１，Ｔｒ２が導通することによって変化するセンサ用端子４，５の電圧値が制御部９に入力され、この電圧値をもとに制御部９で求めた位置情報をデータ入出力端子３よりＰＣに出力する。
【００２８】
このマウス１が使用者によって所定の期間内全く使用されず、フォトトランジスタＴｒ１，Ｔｒ２からＩＣ装置２に送出される信号に変化がないとき、制御部９からデータ入出力端子３を介してＰＣに送出される位置情報に変化がないので、ＰＣ側でマウス１が使用者に使用されていないと判断し、サスペンドモードになるようにデータ入出力端子３を介して制御部９にサスペンドモード信号が送出される。これにより、マウス１がサスペンドモードに入ると、制御部９からトランジスタＴｒ３のゲートに送出される信号がＬｏｗに切り替わって、トランジスタＴｒ３は遮断状態となるとともに、ＡＮＤ回路１０の入力端子に送出される信号がＨｉｇｈに切り替わる。このとき、ＡＮＤ回路１０は、制御部９と接続された一方の入力端子からの入力がＨｉｇｈに切り替わったが、コンパレータと接続されたもう一方の入力端子からの入力がＨｉｇｈのままなのでトランジスタＴｒ４のゲートに出力する信号がＨｉｇｈとなり、トランジスタＴｒ４が導通してコンデンサＣ１は放電される。
【００２９】
このようにトランジスタＴｒ３は遮断状態となるので、抵抗Ｒ１を介して発光ダイオードＤ１，Ｄ２に電流が流れようとする。ここで、１つの発光ダイオードが動作するのに必要な電圧値をＶｆとしたとき、抵抗Ｒ１の大きさを十分大きくとり、抵抗Ｒ１による電圧降下によりセンサ・タイマ回路用端子６の電圧が２Ｖｆ以下になるようにして発光ダイオードＤ１，Ｄ２に電流が流れないようにする。よって、発光ダイオードＤ１，Ｄ２には電流が流れず、コンデンサＣ１の方に流れ、コンデンサＣ１に電荷がたまり、センサ・タイマ回路用端子６の電位が上昇する。
【００３０】
このとき、コンパレータ７の閾値を発光ダイオードＤ１，Ｄ２が発光するための電圧２Ｖｆよりも低い電圧ＶTとすることによって、センサ・タイマ回路用端子６の電位がＶTに達したとき、コンパレータ７からＨｉｇｈの出力信号がカウンタ回路８及びＡＮＤ回路１０に出力される。ＡＮＤ回路１０の２つの入力端子に、Ｈｉｇｈの信号が入力されるため、ＡＮＤ回路１０からＨｉｇｈの信号が出力される。又、このＡＮＤ回路１０は、短時間であるが一定時間だけＨｉｇｈの信号を保持するような回路を備えており、この間、トランジスタＴｒ４のゲートにＨｉｇｈの信号を出力する。
【００３１】
トランジスタＴｒ４のゲートにＨｉｇｈの信号が入力されるため、トランジスタＴｒ４が導通状態となり、コンデンサＣ１にたまっている電荷をこのトランジスタＴｒ４を介して放電する。よって、センサ・タイマ回路用端子６の電位が下がる。ＡＮＤ回路１０からＨｉｇｈの信号が出力される期間が過ぎると、該ＡＮＤ回路１０のコンパレータ７の出力側と接続された入力端子に入力される信号がＬｏｗとなっているので、再びＬｏｗの信号をトランジスタＴｒ４のゲートに入力してトランジスタＴｒ４を遮断状態にし、コンデンサＣ１を充電して、センサ・タイマ回路用端子６の電位を上昇させる。このような動作を繰り返すことによって、センサ・タイマ回路用端子６の電圧が図３（ａ）のようなＲＣ波形を描く。
【００３２】
ここで、コンパレータ７及びカウンタ回路８の動作について、図面を参照にして説明する。図３は、ＲＣ波形及びコンパレータとカウンタの出力信号の時間軸上の関係を示すタイムチャートである。図４は、コンパレータ７とカウンタ回路８内に設けられたカウンタとの関係を示す回路図である。
【００３３】
今、このカウンタ回路８に３段のカウンタ１１，１２，１３が設けられているとする。上記のようにセンサ・タイマ回路用端子６が図３（ａ）のようなＲＣ波形を描くと、コンパレータ７はセンサ・タイマ回路用端子６の電位がＶTに達したときにＨｉｇｈの信号を出力するとともに、この出力によりトランジスタＴｒ４が導通しコンデンサＣ１の電荷が放電されるので、コンパレータ７から出力される信号は図３（ｂ）のようになる。カウンタ１１，１２，１３は、それぞれ入力信号ＴがＨｉｇｈからＬｏｗにたち下がるときに、その出力信号Ｑが反転するようなカウンタであるとすると、コンパレータ７から図３（ｂ）のような信号が入力端子１４に入力されたとき、カウンタ１１，１２，１３からの出力信号Ｑは、それぞれ図３（ｃ），（ｄ），（ｅ）のようになる。このように、カウンタ回路８にカウンタを複数段設けることによって、カウンタ回路８の出力端子１６から出力される信号の周期が長くなる。
【００３４】
又、カウンタ１１，１２，１３にリセット信号Ｒを入力するリセット端子１５は、ＡＮＤ回路１０の制御部９に接続された入力端子と接続され、制御部９より送出される信号がＬｏｗのとき、カウンタ回路８内のカウンタ１１，１２，１３の出力ＱはいずれもＬｏｗになり、制御部９より送出される信号がＨｉｇｈになると前記出力Ｑの状態は入力端子１４に入力されるコンパレータ７の出力信号に依存して変わる。
【００３５】
上記のようなカウンタ回路８からＨｉｇｈの信号が制御部９に入力されたとき、制御部９からＡＮＤ回路１０に送出される信号がＬｏｗに切り替わるとともに、制御部９からトランジスタＴｒ３のゲートに送出される信号がＨｉｇｈに切り替わる。よって、再びトランジスタＴｒ３が導通状態となりトランジスタＴｒ４が遮断状態となるので、ダイオードＤ１，Ｄ２が発光を開始する。このとき、マウス１がある一定期間使用者によって使用されないとき、フォトトランジスタＴｒ１，Ｔｒ２から送出される信号に変化がなく、制御部９からＰＣへ出力される位置情報は変化がないので、ＰＣからはサスペンドモードから復帰するようなサスペンドモード解除信号が送出されない。よって、再び、制御部９からトランジスタＴｒ３のゲートにＬｏｗの信号が送出されるとともに、ＡＮＤ回路１０及びカウンタ回路８のリセット端子１５（図４）にＨｉｇｈの信号が送出され、カウンタ回路８がリセットされるとともに上記のような動作が行われる。
【００３６】
又、逆にダイオードＤ１，Ｄ２が発光している間に、使用者によって、マウス１が使用されると、制御部９からＰＣへ出力される位置情報が変化するので、ＰＣからサスペンドモードから復帰するようなサスペンドモード解除信号が送出され、マウス１はサスペンドモードから復帰する。
【００３７】
本発明の第２の実施の形態について、図面を参照にして説明する。図２は、本実施形態で使用するマウスの内部構造を示すブロック図である。又、本実施形態で使用するマウスは、マウスパッドに用意された透明、又は不透明のラインパターンを感知することにより、その移動方向及び距離を検出する光学式のマウスである。
【００３８】
上記のようなマウス１において、ＩＣ回路２内にコンデンサＣ２を設けているため第１の実施形態のようにＩＣ回路２の外部にコンデンサを設ける場合と比較してコンデンサＣ２の容量が小さくする必要があるので、サスペンドモード時に充分に長い周期の信号をカウンタ回路８から出力するためには、カウンタ回路８内に第１の実施形態のようにコンデンサをＩＣ２の外部に設置したときよりも多くのカウンタを設ける必要がある以外は、第１の実施形態と同様の動作となるので、その動作及び構造の詳細な説明は省略する。
【００３９】
尚、本明細書において、コンピュータ用入力装置の代表として光学式のマウスに本発明を使用した実施形態について説明したが、その内部に回転自在の球体が設けられた機械式のマウスやジョイスティックやトラックボールなどの他のＰＣ用の周辺機器であるコンピュータ用入力装置に、本発明を用いても良い。
【００４０】
【発明の効果】
請求項１に記載のコンピュータ用入力装置によると、半導体集積回路装置の端子のうち、センサ回路に電力を供給する端子に、タイマ回路を接続しているので、従来のようにタイマ回路用の端子を必要とせず、半導体集積回路装置の端子数を従来に比べて減らすことができ、マウスにかかるコストを低減させることができる。
【００４１】
請求項２に記載のコンピュータ用入力装置によると、タイマ回路内に、直列に接続された抵抗とコンデンサの接続部の出力変化の回数を利用して計数動作を行うカウンタ回路を設けたので、タイマ回路に使用するコンデンサを大容量のコンデンサとしなくてもタイマの周期を長くとることができるようになり、コンデンサを半導体集積回路装置内に設けることができ、マウス内に構成する回路の小型化及び簡単化を図ることができる。
【００４２】
請求項３に記載のコンピュータ用入力装置によると、タイマ回路内に、直列に接続された抵抗とコンデンサの接続部の出力変化の回数を利用して計数動作を行うカウンタ回路を設けるとともに、コンパレータ回路の後段にカウンタ回路を接続しているので、タイマ回路に使用するコンデンサを大容量のコンデンサとしなくてもタイマの周期を長くとることができるようになり、コンデンサを半導体集積回路装置内に設けることができ、マウス内に構成する回路の小型化及び簡単化を図ることができる。
【００４３】
請求項４に記載のコンピュータ用入力装置によると、タイマ回路に使用するコンデンサを半導体集積回路装置内に設置するので、コンデンサを半導体集積回路装置に外付けしたときに比べて更に回路の小型化及び簡単化を図ることができる。
【００４４】
請求項５に記載のコンピュータ用入力装置によると、タイマ回路内に、直列に接続された抵抗とコンデンサの接続部の出力変化の回数を利用して計数動作を行うカウンタ回路を設けるとともに、コンパレータの後段にカウンタ回路を接続しているので、積分回路を形成するためのコンデンサを大容量のコンデンサとしなくてもタイマの周期を長くとることができるようになり、コンデンサを半導体集積回路装置内に設けることができ、マウス内に構成する回路の小型化及び簡単化を図ることができる。
【００４５】
請求項６に記載のコンピュータ用入力装置によると、コンパレータに設定された閾値電圧がセンサ回路が動作させるのに必要な電圧よりも低い電圧であるので、タイマ回路を動作させる際に、前記センサ回路が動作を行うといった誤動作を引き起こすことがない。
【図面の簡単な説明】
【図１】第１の実施形態で使用するマウスの内部構成を示すブロック図。
【図２】第２の実施形態で使用するマウスの内部構成を示すブロック図。
【図３】ＲＣ波形、コンパレータ、カウンタの動作の関係を示すタイムチャート。
【図４】カウンタ回路の具体的な構成例を示す回路図。
【図５】従来使用しているマウスの内部構成を示すブロック図。
【符号の説明】
１，５１    マウス
２，５２    ＩＣ装置
３，５３    データ入出力端子
４，５，５４，５５，５６    センサ用端子
６    センサ・タイマ回路用端子
７，５８  コンパレータ
８    カウンタ回路
９，５９    制御部
１０    ＡＮＤ回路
１１，１２，１３    カウンタ
１４    入力端子
１５    リセット端子
１６    出力端子
５７    タイマ回路専用端子
Ｔｒ１，Ｔｒ２，Ｔｒ１１，Ｔｒ１２    フォトトランジスタ
Ｔｒ３，Ｔｒ４，Ｔｒ１３，Ｔｒ１４    ＭＯＳトランジスタ
Ｄ１，Ｄ２，Ｄ１１，Ｄ１２    発光ダイオード
Ｒ１，Ｒ２，Ｒ３，Ｒ１１，Ｒ１２，Ｒ１３    抵抗
Ｃ１，Ｃ２，Ｃ１１    コンデンサ
【図１】
0003835936.tif 000002
【図２】
0003835936.tif 000003
【図３】
0003835936.tif 000004
【図４】
0003835936.tif 000005
【図５】
0003835936.tif 000006